(57)【要約】【課題】障害物等が保護板に当接した場合、当接した障害物等が保護板に押し付けられたり、保護板に絡まったり、保護板とエスカレータとの間に挟まれたりすることを防止することができるエスカレータの安全装置を提供する。【解決手段】エスカレータ１と建屋天井６や梁あるいは隣接して交差する他のエスカレータとの間に楔状空間７が設けられ、楔状空間７内に保護板８が配置されたエスカレータの安全装置において、障害物等Ａが保護板８に当接した場合に、障害物等Ａに押された保護板８が移動するように保護板８を保持する保持部９と、保護板８の移動を検出する検出部２１と、検出部２１による検出結果に基づいてエスカレータ１の運転を停止させる停止手段と、を備える。【選択図】    図３
2010037066.tif 000002
【特許請求の範囲】
【請求項１】
エスカレータと建屋天井や梁あるいは隣接して交差する他のエスカレータとの間に楔状空間が設けられ、前記楔状空間内に保護板が配置されたエスカレータの安全装置において、
障害物等が前記保護板に当接した場合に、前記障害物等に押された前記保護板が移動するように前記保護板を保持する保持部と、
前記保護板の移動を検出する検出部と、
前記検出部による検出結果に基づいて前記エスカレータの運転を停止させる停止手段と、
を備えることを特徴とするエスカレータの安全装置。
【請求項２】
前記検出部による検出が予め設定された所定時間継続したことをカウントするカウント手段を備え、前記検出部による検出が所定時間継続した場合に前記停止手段により前記エスカレータの運転を停止させることを特徴とする請求項１記載のエスカレータの安全装置。
【請求項３】
前記停止手段により前記エスカレータの運転が停止される場合、警備部署に対して警報を発する警報手段を備えることを特徴とする請求項１又は２記載のエスカレータの安全装置。
【発明の詳細な説明】
【技術分野】
【０００１】
本発明は、エスカレータの安全装置に関し、特に、エスカレータと建屋天井や梁あるいは隣接して交差する他のエスカレータとの間に楔状空間が設けられ、この楔状空間に保護板が配置されたエスカレータの安全装置に関する。
【背景技術】
【０００２】
従来、エスカレータと建物天井や梁あるいは隣接して交差する他のエスカレータとの間に楔状空間が設けられ、この楔状空間内に保護板を配置したエスカレータの安全装置が提案されている（例えば、特許文献１参照）。
【０００３】
特許文献１に記載されたエスカレータの安全装置は、楔状空間の奥側に配置された固定式の第１保護板と、楔状空間の手前側に配置された揺動可能な第２保護板とを備えている。エスカレータ利用者の身体や荷物等（以下、「障害物等」という）が第２保護板に当接した場合、第２保護板は揺動し、障害物等が第２保護板に当接した衝撃を緩和するとともに、障害物等が楔状空間に挟まれる危険性があることをエスカレータ利用者に知らせる。
【特許文献１】特開２００１−７２３６８号公報
【発明の開示】
【発明が解決しようとする課題】
【０００４】
しかし、特許文献１に記載されたエスカレータの安全装置では、障害物等が第１保護板に当接した場合には、第１保護板が移動しないとともにエスカレータが引き続き動き続けるため、障害物等が第１保護板に押し付けられたり、第１保護板に絡まったり、第１保護板とエスカレータとの間に挟まれる場合がある。
【０００５】
本発明はこのような課題を解決するためになされたもので、その目的は、障害物等が保護板に当接した場合、当接した障害物等が保護板に押し付けられたり、保護板に絡まったり、保護板とエスカレータとの間に挟まれたりすることを防止することができるエスカレータの安全装置を提供することである。
【課題を解決するための手段】
【０００６】
本発明の実施の形態に係る特徴は、エスカレータと建屋天井や梁あるいは隣接して交差する他のエスカレータとの間に楔状空間が設けられ、前記楔状空間内に保護板が配置されたエスカレータの安全装置において、障害物等が前記保護板に当接した場合に、前記障害物等に押された前記保護板が移動するように前記保護板を保持する保持部と、前記保護板の移動を検出する検出部と、前記検出部による検出結果に基づいて前記エスカレータの運転を停止させる停止手段と、を備えることである。
【発明の効果】
【０００７】
本発明によれば、障害物等が保護板に当接して押された保護板が移動し、その移動が検出部により検出されると、その検出結果に基づいてエスカレータの運転が停止されるため、保護板に当接した障害物等が、保護板に押し付けられたり、保護板に絡まったり、保護板とエスカレータとの間に挟まれたりすることを防止することができる。
【発明を実施するための最良の形態】
【０００８】
以下、本発明の一実施の形態を図面を用いて説明する。
【０００９】
図１は、本発明に係るエスカレータの安全装置を組み込んだエスカレータの構成図である。
【００１０】
エスカレータ１は、無端状に連結されて上階側と下階側との間を循環移動する複数のステップ２と、これらのステップ２に同期して循環移動する手摺ベルト３と、この手摺ベルト３を支持する欄干４とを備えている。上階側の床下には、ステップ２と手摺ベルト３とを駆動させる駆動モータ５が設置されている。
【００１１】
エスカレータ１の手摺ベルト３と、このエスカレータ１が設置されている建屋の建屋天井６との間には楔状空間７が設けられ、この楔状空間７内には保護板８が配置されている。保護板８は、アクリル樹脂により形成され、エスカレータ１の上昇方向（矢印Ｘ方向）への運転により運ばれるエスカレータ利用者の身体や荷物等（以下、「障害物等」という）が、エスカレータ１と建屋天井６との間に挟まれることを防止するために設けられている。
【００１２】
建屋天井６の下面であって楔状空間７を囲む部分には、保持部９が設けられている。保持部９には、エスカレータ１の移動方向と直交する水平方向に延出するガイド溝（図示せず）が形成され、このガイド溝にスライド可能に取付ベース１０が嵌合されている。取付ベース１０には、保護板８がボルト１１とナット１２とを用いて固定されている。保護板８は、取付ベース１０と一体にエスカレータ１の移動方向と直交する水平方向にスライド可能となっている。
【００１３】
図３及び図５に示すように、保持部９には支持片１３が固定され、この支持片１３には丸棒状の支持軸１４の一端が固定されている。支持軸１４は、ガイド溝と平行な方向に延出され、支持軸１４の外周にはコイルバネ１５が伸縮可能に取付けられている。
【００１４】
取付ベース１０には突起１６が設けられ、この突起１６に形成された挿通穴１７に支持軸１４が相対的にスライド可能に挿通されている。支持軸１４の外周に取付けられたコイルバネ１５は、突起１６と支持片１３との間に配置されている。支持軸１４の他端には、突起１６が支持軸１４から抜けることを防止する抜止部１８が設けられている。
【００１５】
さらに、保持部９には、取付ベース１０のスライド方向前方側に位置し、スライドした取付ベース１０に押されて上方に移動する可動片１９が設けられている。この可動片１９は、コイルバネ２０により下向きに常時付勢されている。可動片１９の上方位置には、上方に移動した可動片１９に押されてＯＮとなる検出部である接触式の検出スイッチ２１が設けられている。
【００１６】
図２及び図３は、障害物等Ａが保護板８に当接しておらず、コイルバネ１５により付勢された取付ベース１０と保護板８とがエスカレータ１の手摺ベルト３に最も近付いて位置している場合、言い換えると、エスカレータ１が正常に運転されている場合を示している。
【００１７】
図４及び図５は、障害物等Ａが保護板８に当接し、障害物等Ａにより押された保護板８が取付ベース１０と一体にエスカレータ１の手摺ベルト３から離れる方向にスライドした場合を示している。
【００１８】
保護板８が取付ベース１０と一体に手摺ベルト３から離れる方向にスライドし、そのスライド量がある値に達すると、スライドした取付ベース１０が取付けベース１０のスライド方向前方に位置している可動片１９に当接する。取付ベース１０が可動片１９に当接すると、可動片１９が取付ベース１０に押されて上方向きに移動し、可動片１９により検出スイッチ２１が押されてＯＮになる。検出スイッチ２１がＯＮになることにより、保護板８がスライドしたことが検出される。
【００１９】
図６は、本発明に係るエスカレータの安全装置の制御に関する構成を示すブロック図である。エスカレータ１の動作を制御する制御部２２が設けられ、この制御部２２に駆動モータ５と、駆動モータ５を操作するモータ操作部２３と、検出スイッチ２１とが接続されている。さらに、制御部２２には、警備員室などの警備部署に設置されたスピーカ２４及び表示灯２５が接続されている。
【００２０】
制御部２２には、検出スイッチ２１の検出結果に基づいてエスカレータ１の運転を停止させる停止手段と、停止手段によりエスカレータ１の運転が停止される場合にスピーカ２４から警報を発報したり、表示灯２５を点灯させる警報手段とが設けられている。
【００２１】
なお、検出スイッチ２１の検出結果に基づいてエスカレータ１の運転を停止させる場合には、検出スイッチ２１の検出結果に基づいて直ちにエスカレータ１の運転を停止させるようにしてもよいが、検出スイッチ２１による検出が予め設定された所定時間継続したことをカウントするカウント手段を制御部２２に設け、検出スイッチ２１による検出が所定時間継続した場合に停止手段によりエスカレータ１の運転を停止させるようにしてもよい。本実施の形態では、カウント手段を備えている。
【００２２】
図７は、停止手段によるエスカレータ１の運転停止制御について説明するフローチャートである。
【００２３】
エスカレータ１が運転中であるか否かが判断され（Ｓ１）、エスカレータ１が運転中である場合には（Ｓ１のＹＥＳ）、検出スイッチ２１がＯＮになったか否かが判断される（Ｓ２）。図４及び図５に示すように、障害物等Ａが保護板８に当接し、障害物等Ａに押された保護板８が手摺ベルト３から離れる方向にスライドし、スライドした取付ベース１０により可動片１９が押し上げられ、押し上げられた可動片１９により検出スイッチ２１が押されることにより検出スイッチ２１がＯＮになる。
【００２４】
検出スイッチ２１がＯＮになった場合には（Ｓ２のＹＥＳ）、カウント手段によりＯＮの状態が予め設定した所定時間継続したか否かが判断される（Ｓ３）。
【００２５】
検出スイッチ２１のＯＮ状態が所定時間継続した場合には（Ｓ３のＹＥＳ）、停止手段によりエスカレータ１の運転が停止され、及び、警報手段によりスピーカ２４から警報が発報され、及び、表示灯２５が点灯される（Ｓ４）。停止手段によるエスカレータ１の運転停止、スピーカ２４からの警報の発報、表示灯２５の点灯は、同時でもよく、又は、エスカレータ１の運転停止を先行させてもよい。スピーカ２４からの警報の発報、表示灯２５の点灯が行われた場合には、警報の発報や表示灯２５の点灯を確認した警備員や管理人等が停止したエスカレータ１に駆けつける。
【００２６】
このような構成において、エスカレータ１の運転中に障害物等Ａが保護板８に当接すると、当接した障害物等Ａに押された保護板８が取付ベース１０と一体に手摺ベルト３から離れる方向へスライドする。そして、取付ベース１０が可動片１９に当接し、可動片１９が上方向きに移動して検出スイッチ２１がＯＮになり、障害物等Ａが保護板８に当接したことが検出される。
【００２７】
なお、障害物等Ａが保護板８に当接して保護板８と取付ベース１０とが手摺ベルト３から離れる方向にスライドしても、障害物等Ａの保護板８への当接状態がなくなると、保護板８と取付ベース１０とはコイルバネ１５の付勢力により図２及び図３に示したように、保護板８が手摺ベルト３に近付いた位置に戻る。
【００２８】
検出スイッチ２１のＯＮ状態が設定時間継続した場合には、障害物等Ａが保護板８とエスカレータ１との間に挟まれて取れない状態となっていることを意味し、その場合には停止手段によりエスカレータ１の運転が停止される。
【００２９】
したがって、保護板８に当接した障害物等Ａが、エスカレータ１の運転が継続されるために保護板８に押し付けられたり、保護板８に絡まったり、保護板８とエスカレータ１との間に挟まれたりすることが防止される。
【００３０】
なお、カウント手段が設けられ、検出スイッチ２１のＯＮ状態が設定時間継続した場合にエスカレータ１の運転が停止されるため、検出スイッチ２１が瞬間的にＯＮになったが障害物等Ａが保護板８から離れたために検出スイッチ２１のＯＮ状態がすぐに解除された場合にはエスカレータ１の運転は停止されない。これにより、エスカレータ１の不要な運転停止を回避することができる。
【００３１】
停止手段によりエスカレータ１の運転が停止された場合には、警備員室などにおいてスピーカ２４からの警報の発報や表示灯２５の点灯が行なわれる。これにより、警報の発報や表示灯２５の点灯を確認した警備員や管理人等が停止したエスカレータ１に駆けつけることができ、保護板８に当接した障害物等Ａの取り外しや、エスカレータ１の運転の再開等を迅速に行なうことができる。
【００３２】
なお、本実施の形態では、保護板８に障害物等Ａが当接した場合、保護板８がエスカレータ１の移動方向と直交する水平方向向きにスライドする場合を例に挙げて説明したが、障害物等Ａが当接した場合の保護板８の移動方向は、この実施の形態で説明した方向に限られるものではない。
【００３３】
また、保護板８に障害物等Ａが当接したことを検出する検出部として接触式の検出スイッチ２１を例に挙げて説明したが、光センサ等の非接触式の検出部を用いてもよい。
【図面の簡単な説明】
【００３４】
【図１】本発明の一実施の形態のエスカレータの安全装置を組み込んだエスカレータの構成図である。
【図２】障害物等が保護板に当接していない場合の保護板と取付ベースと手摺ベルトとを示す正面図である。
【図３】障害物等が保護板に当接していない場合の取付ベースと可動片と検出スイッチとを示す正面図である。
【図４】障害物等が保護板に当接している場合の保護板と取付ベースと手摺ベルトとを示す正面図である。
【図５】障害物等が保護板に当接している場合の取付ベースと可動片と検出スイッチとを示す正面図である。
【図６】エスカレータの安全装置の制御に関する構成を示すブロック図である。
【図７】停止手段によるエスカレータの運転停止制御について説明するフローチャートである。
【符号の説明】
【００３５】
１      エスカレータ
６      建屋天井
７      楔状空間
８      保護板
９      保持部
２１      検出スイッチ（検出部）
Ａ      障害物等
【図１】
2010037066.tif 000003
【図２】
2010037066.tif 000004
【図３】
2010037066.tif 000005
【図４】
2010037066.tif 000006
【図５】
2010037066.tif 000007
【図６】
2010037066.tif 000008
【図７】
2010037066.tif 000009